(57)【要約】【課題】異なる時間周期中に異なる無線通信規格を夫々サポートすることが可能な通信装置の方法等を提供する。【解決手段】通信装置は、第１無線通信規格をサポートするよう構成される第１通信回路と、第１無線通信規格と異なる第２無線通信規格をサポートするよう構成される第２通信回路とを有する。方法は、第１通信回路を使用して、いつ第１通信回路が無線インアクティブモードへ切り替わるかをピア通信回路に知らせるために時間情報をピア通信回路へ送ることを含む。【選択図】図１
2019106702.tif 000002
【特許請求の範囲】
【請求項１】
異なる時間周期中に異なる無線通信規格を夫々サポートすることが可能なマルチ無線通信システムの通信装置であって、
第１無線通信規格をサポートするよう構成される第１通信回路と、
前記第１無線通信規格と異なる第２無線通信規格をサポートするよう構成される第２通信回路と
を有し、
前記第１通信回路は、いつ前記第１通信回路が無線インアクティブモードへ切り替わるかをピア通信回路に知らせるために時間情報を前記ピア通信回路へ送るよう構成される、
通信装置。
【請求項２】
前記第１通信回路は、ワイヤレス・ローカル・エリア・ネットワーク（ＷＬＡＮ）通信回路であり、
前記第２通信回路は、Ｂｌｕｅｔｏｏｔｈ（登録商標）通信回路又はロング・ターム・エボリューション通信回路である、
請求項１に記載の通信装置。
【請求項３】
前記第１通信回路が通常モードに入るようアクティブにされる場合に、前記第１通信回路は、前記ピア通信回路に前記通常モードの間に前記時間情報に従ってフレームの送信を処理させるために、いつ前記第１通信回路が前記無線インアクティブモードに入るかを示すように前記時間情報を送るよう構成される、
請求項２に記載の通信装置。
【請求項４】
前記時間情報は、前記第１通信回路によって送信されるフレームの制御フィールド内で運ばれる、
請求項３に記載の通信装置。
【請求項５】
前記フレームは、ＱｏＳヌルフレーム又はアクションフレームである、
請求項４に記載の通信装置。
【請求項６】
前記時間情報は、前記通常モードの間に送信されるアグリゲーションフレームのサイズを前記ピア通信回路に動的に決定させるために使用される、
請求項３に記載の通信装置。
【請求項７】
前記時間情報は、前記第１通信回路が通常モードに入るようアクティブにされる場合に前記ピア通信回路へ送られる目標時間情報である、
請求項１に記載の通信装置。
【請求項８】
前記時間情報は、いつ前記第１通信回路が前記通常モードから前記無線インアクティブモードへ切り替わるかを前記ピア通信回路に知らせるために使用される、
請求項７に記載の通信装置。
【請求項９】
マルチ無線通信システムの通信装置の方法であって、前記マルチ無線通信システムは、第１無線通信規格をサポートするよう構成される第１通信回路と、前記第１無線通信規格と異なる第２無線通信規格をサポートするよう構成される第２通信回路とを有する、前記方法において、
前記第１通信回路を使用して、いつ前記第１通信回路が無線インアクティブモードへ切り替わるかをピア通信回路に知らせるために時間情報を前記ピア通信回路へ送ること
を有する方法。
【請求項１０】
前記第１通信回路は、ＷＬＡＮ通信回路であり、
前記第２通信回路は、Ｂｌｕｅｔｏｏｔｈ（登録商標）通信回路又はロング・ターム・エボリューション通信回路である、
請求項９に記載の方法。
【請求項１１】
前記第１通信回路を使用して前記時間情報を前記ピア通信回路へ送ることは、
前記第１通信回路が通常モードに入るようアクティブにされる場合に、前記ピア通信回路に前記通常モードの間に前記時間情報に従ってフレームの送信を処理させるために、いつ前記第１通信回路が前記無線インアクティブモードに入るかを示すよう前記時間情報を送ること
を有する、
請求項１０に記載の方法。
【請求項１２】
前記時間情報は、前記第１通信回路によって送信されるフレームの制御フィールド内で運ばれる、
請求項１１に記載の方法。
【請求項１３】
前記フレームは、ＱｏＳヌルフレーム又はアクションフレームである、
請求項１２に記載の方法。
【請求項１４】
前記時間情報は、前記通常モードの間に送信されるアグリゲーションフレームのサイズを前記ピア通信回路に動的に決定させるために使用される、
請求項１１に記載の方法。
【請求項１５】
前記時間情報は、前記第１通信回路が通常モードに入るようアクティブにされる場合に前記ピア通信回路へ送られる目標時間情報である、
請求項９に記載の方法。
【請求項１６】
前記時間情報は、いつ前記第１通信回路が前記通常モードから前記無線インアクティブモードへ切り替わるかを前記ピア通信回路に知らせるために使用される、
請求項１５に記載の方法。
【請求項１７】
第１無線通信規格をサポートすることが可能な通信装置であって、
ピア通信回路から時間情報を受信し、該時間情報に従って、前記ピア通信回路の通常モードの間に送信されるアグリゲーションフレームのサイズを動的に決定するよう構成されるトランシーバを有し、
前記時間情報は、いつ前記ピア通信回路が前記通常モードから無線インアクティブモードへ切り替わるかを示すために使用される、
通信装置。
【発明の詳細な説明】
【背景技術】
【０００１】
一般的に言えば、通信装置は、異なる通信規格をサポートするよう、共同設置されたマルチ無線（例えば、ＷＬＡＮ、Ｂｌｕｅｔｏｏｔｈ（登録商標）、ＬＴＥ）を備えることがある。そのようなマルチ無線装置における従来のＷＬＡＮトランシーバは、相互の無線信号干渉を回避するように、共同設置された無線により時分割複信（ＴＤＤ；time-division  duplex）において動作する必要があり得る。従来のＷＬＡＮトランシーバは、通常は、そのようなＴＤＤ動作モードをサポートするよう、通常動作モードと無線インアクティブ動作モードとの間を切り替えるスキームを採用する。無線インアクティブモードにおいて、ＷＬＡＮトランシーバは、ピアＷＬＡＮ無線回路とのフレーム交換を行うことができない。通常、ＷＬＡＮトランシーバは、通常モードと無線インアクティブモードとの間を切り替えるよう電力節約プロトコルを採用する。ＷＬＡＮトランシーバは、その現在の電力節約モードをピアアクセスポイントに示すよう電力管理（ＰＭ；power  management）ビットをフレームヘッダにおいてセットする。ＰＭビットは、ＷＬＡＮトランシーバが電力節約モードにあることを示すよう‘１’に設定され、そして、ＷＬＡＮトランシーバが通常モードにあることを示すよう‘０’に設定される。アクセスポイントは、関連するＷＬＡＮトランシーバとの電力節約モードの同期を保つよう、その関連するＷＬＡＮトランシーバからのＰＭビットを確認すべきである。ピアアクセスポイントは、電力節約モードにあるＷＬＡＮトランシーバとのフレーム交換を開始すべきでない。ＷＬＡＮトランシーバが電力節約モードへ切り替わる前に、ＷＬＡＮトランシーバは、従来のピアアクセスポイントにこの電力節約モードへの変更の情報を知らせるためのフレームを送るために、チャネルリソースの奪い合いを行う必要がある。
【０００２】
しかし、ＷＬＡＮ規格は、ＣＳＭＡ／ＣＡバックオフ・スキームを採用し、チャネルリソースがこの状況で従来のＷＬＡＮトランシーバへ成功裏に割り当てられ得ることは補償され得ず、従来のＷＬＡＮトランシーバは、電力節約モードへ切り替わる必要があるときに、電力節約モードへの変化の通知を従来のピアアクセスポイントへ適宜送信することが可能でないことがある。これは、ＷＬＡＮトランシーバとピアアクセスポイントとの間の電力節約モード同期の喪失と、ＴＤＤモードで作動するマルチ無線のフレーム交換性能の不良とを引き起こす。
【０００３】
その上、更に深刻なことに、新しいＷＬＡＮ規格（例えば、ＩＥＥＥ８０２．１１ｎ／ａｃ）は、効率を改善するために１回の伝送においてより大きいフレームサイズを送信するようパケットアグリゲーション（Ａ−ＭＰＤＵ）をサポートする。より大きいフレームは、より長い伝送時間を要する。無線干渉は、従来のピアアクセスポイントから従来のＷＬＡＮトランシーバへ送信されるデータパケット／フレームの伝送時間が時分割複信通信システムのＢＴ／ＬＴＥ  ＴＤＤフェーズと部分的にオーバーラップするには長すぎる場合に、必然的に導入される。代替的に、アクセスポイントは、遠隔のピアの共同設置されたＢＴ／ＬＴＥ無線動作フェーズとのオーバーラップの可能性を低減するよう、短いフレーム（例えば、小さいサイズのＡ−ＭＰＤＵ集約フレーム又は非アグリゲーションフレーム）を送信してよい。それらの短いフレームは、ＷＬＡＮ通信のデータ交換性能が有意に劣化されることを引き起こす。従来のＷＬＡＮトランシーバ及び従来のピアアクセスポイントを単に採用して、干渉を回避し、同時に性能を改善することは不可能である。
【発明の概要】
【０００４】
従って、本発明の目的の１つは、上記の問題を解決するために、時分割複信モードで作動する共同設置されたマルチ無線を備えた通信装置、対応する方法、及びピアアクセスポイントのようなピア通信装置を提供して、時分割複信通信のための新規のデータ伝送／交換メカニズムを提供することである。
【０００５】
本発明の実施形態に従って、異なる時間周期中に時分割モードで作動して異なる無線通信規格を夫々サポートすることが可能な通信装置が開示される。当該通信装置は、第１通信回路及び第２通信回路を有する。前記第１通信回路は、第１無線通信規格をサポートするよう構成される。前記第２通信回路は、前記第１無線通信規格と異なる第２無線通信規格をサポートするよう構成される。前記第１通信回路は、いつ前記第１通信回路が無線インアクティブモードへ切り替わるかをピア通信回路に知らせるために時間情報を前記ピア通信回路へ送るよう構成される。
【０００６】
実施形態に従って、異なる時間周期中に異なる無線通信規格を夫々サポートすることが可能な通信装置の方法が開示される。当該通信装置は、第１無線通信規格をサポートするよう構成される第１通信回路と、前記第１無線通信規格と異なる第２無線通信規格をサポートするよう構成される第２通信回路とを有する。方法は、前記第１通信回路を使用して、いつ前記第１通信回路が無線インアクティブモードへ切り替わるかをピア通信回路に知らせるために時間情報を前記ピア通信回路へ送ることを有する。
【０００７】
実施形態に従って、異なる時間周期中に通常モードと無線インアクティブモードとの間で作動する第１無線通信規格をサポートすることが可能な通信システム内のアクセスポイント装置が、開示される。当該アクセスポイント装置はトランシーバを有する。該トランシーバは、ピア通信回路から目標時間情報を受信し、該目標時間情報に従って、前記ピア通信回路の通常モードの間に送信されるアグリゲーションパケットのデータ長さを動的に決定するよう構成される。前記目標時間情報は、いつ前記ピア通信回路が前記通常モードから無線インアクティブモードへ切り替わるかを示すために使用される。
【０００８】
本発明のそれら及び他の目的は、様々な図及び図面で示される好適な実施形態の以下の詳細な説明を読んだ後に、きっと、当業者に明らかになるだろう。
【図面の簡単な説明】
【０００９】
【図１】本発明の実施形態に従う通信装置のブロック図である。
【図２】本発明の実施形態に従う通信システムの異なるＴＤＤフェーズの下で作動する通信装置の例のブロック図である。
【図３】図１の通信装置の動作のフローチャート図である。
【発明を実施するための形態】
【００１０】
本発明は、通信装置が少なくとも第１通信回路及び第２通信回路を備え、第１及び第２通信回路が夫々異なる時間周期／スロットの間に異なる無線通信規格をサポートするところの通信システムのためのデータ伝送メカニズムの解決策を提供することを狙う。例えば、第１通信回路は、ワイヤレス・ローカル・エリア・ネットワーク（ＷＬＡＮ；wireless  local  area  network）通信規格、例えば、ＩＥＥＥ８０２．１１ａ／ｂ／ｇ／ｎ／ａｃをサポートする通信回路であってよい。第２通信回路は、Ｂｌｕｅｔｏｏｔｈ（登録商標）（ＢＴ）又はロング・ターム・エボリューション（ＬＴＥ）通信規格をサポートする通信回路であってよい。すなわち、一実施形態において、第１通信回路は、例えば、フレーム／パケットを送信するために他の通信回路とのチャネルリソースの奪い合いを行う必要がある、競合型（contention-based）通信回路であってよく、第２通信回路は、対応する割り当てられた時間周期／スロットの間にパケット／フレームを送信するよう構成される非競合型通信回路であってよく、チャネルリソースの奪い合いを行う必要がない。なお、これは、限定であるよう意図されない。
【００１１】
図１は、本発明の実施形態に従う通信装置１００のブロック図である。通信装置１００は、第１通信回路１０５及び第２通信回路１１０を有する。第１通信回路１０５及び第２通信回路１１０は夫々、ＷＬＡＮ通信規格及びＢＴ／ＬＴＥ通信規格をサポートする。例えば、第１通信回路１０５は、他の無線局装置との無線チャネルリソースの奪い合いを行うよう構成されるＷＬＡＮ通信回路／トランシーバであってよい。第１通信回路１０５は、トランシーバ１０１Ａを有する、アクセスポイントのようなピア通信装置１０１と通信するよう構成されてよい。
【００１２】
第２通信回路１１０は、例えば、割り当てられた時間スロットにおいてデータを送信／受信するよう構成されるＢＴ／ＬＴＥ通信規格を用いる（しかし制限されない。）回路／トランシーバであってよい。第２通信回路１１０は、チャネルリソースの奪い合いを行う必要がなく、例えば、ＢＴ／ＬＴＥ装置１０２と通信するよう構成されてよい。
【００１３】
すなわち、そのようなＴＤＤ通信システムは、通信装置１００がＷＬＡＮ通信規格及びＢＴ／ＬＴＥ通信規格の両方をサポートするところのＷＬＡＮ及びＢＴ／ＬＴＥ共在通信システムである。
【００１４】
伝送電力は、共同設置された無線の受信信号との深刻な干渉を引き起こす可能性があるので、ＴＤＤ（時分割複信）動作モードが、そのような干渉を回避するために採用されることになる。制御回路１１５は、例えば２．５ミリ秒（しかし制限されない。）といった第１時間周期／スロットの間は第１通信回路１０５を、第１時間周期／スロットとは異なり且つはっきりと区別できる、例えば１．２５ミリ秒といった第２時間周期／スロットの間は第２通信回路１１０を交互にアクティブ／非アクティブにするよう構成されてよい。
【００１５】
例えば、制御回路１１５は、ＢＴ／ＬＴＥトランシーバのような第２通信回路１１０が、ＢＴ／ＬＴＥデータフレーム／パケットを受信及び／又は送信するよう制御回路１１５によってアクティブにされる場合に、無線インアクティブモードに入るよう第１通信回路１０５を制御することによって、ＷＬＡＮトランシーバのような第１通信回路１０５を非アクティブにしてよい。代わりに、制御回路１１５が、無線インアクティブモードから通常モードへ切り替わるよう第１通信回路１０５を制御することによって、第１通信回路１０５をアクティブにする場合に、第２通信回路１１０は、制御回路１１５によって非アクティブにされる。
【００１６】
トランシーバのような従来のＷＬＡＮ通信回路は、他のＷＬＡＮトランシーバとのチャネルリソースの奪い合いを行う必要があり得る点が留意されるべきである。従来のＷＬＡＮトランシーバが電力節約モードに入ると決める場合に、そのようなＷＬＡＮトランシーバは、この電力節約モードへの変化の情報を従来のピアアクセスポイントに知らせるために、チャネルリソースの奪い合いを行う必要がある可能性がある。しかし、チャネルリソースが従来のＷＬＡＮトランシーバによって適宜割り当てられ得ることは補償され得ず、この状況で、従来のＷＬＡＮトランシーバは、従来のピアアクセスポイントに対する電力節約モードへの変化の通知を成功裏に完了することができない。よって、通信装置のデータ交換性能／効率は劣化されることになる。
【００１７】
本発明の実施形態において、通信装置１００のデータ交換性能／効率を有意に改善し且つ深刻な干渉を回避するために、通信装置１００は、目標時間情報を具現されたフレームを送って、第１通信回路１０５が目標時間までアクセスポイント１０１とのフレーム交換を行うことができる通常モードに現在あり、目標時間に無線インアクティブ（電力節約）モードへ切り替わることをピアアクセスポイント１０１に知らせるように、第１通信回路１０５を制御するよう構成される。よって、ピアアクセスポイント１０１は、目標時間情報に基づき、最適化されたフレーム交換シーケンスをスケジューリングすることができる。
【００１８】
図２は、本発明の実施形態に従う通信システムの異なるＴＤＤフェーズの下で作動する通信装置の例の図である。図２に示されるように、第１時間周期／スロット（すなわち、ＴＤＤ  ＷＬＡＮフェーズ）の間、制御回路１１５は、第１通信回路１０５をアクティブにし、第２通信回路１１０を非アクティブにするよう構成される。代わりに、第２時間周期／スロット（すなわち、ＴＤＤ  ＢＴ／ＬＴＥフェーズ）の間、制御回路１１５は、第２通信回路１１０をアクティブにし、第１通信回路１０５を非アクティブにするよう構成される。
【００１９】
ＴＤＤ  ＷＬＡＮフェーズの間、第１通信回路１０５は、通常モード下で動作し、目標時間情報をピアアクセスポイント１０１へ送って、ピアアクセスポイント１０１に、いつ第１通信回路１０５が無線インアクティブ（電力節約）モードに入るかを知らせるよう構成される。例えば、そのような目標時間情報の送信は、第１通信回路１０５が無線インアクティブモードから通常モードへ切り替わる場合に直ちに伝送され得る。代替的に、そのような送信は、目標時間情報を更新するよう通常モード下で取り出されてよい。これは、限定であるよう意図されない。
【００２０】
第１通信回路１０５は、例えば、ＱｏＳ（Quality  of  Service）ヌル（Null）又はアクションフレーム（しかし制限されない。）のような特定の制御／データ／管理フレームをピアアクセスポイント１０１へ送るよう構成される。このとき、目標時間情報は、ＱｏＳヌルフレームのＱｏＳ制御フィールド又はアクションフレーム本体内の情報要素の中に具現される。例えば、第１通信回路１０５は、ＱｏＳヌルフレーム内のＱｏＳ制御フィールドのビット７を用いて、これが目標時間情報の通知であることをピアアクセスポイント１０１に知らせるようセットしてよい。第１通信回路１０５は、ＱｏＳヌルフレーム内のＱｏＳ制御フィールドのビット８〜１５を用いて、目標時間情報の値を運ぶようセットしてよい。これは、限定であるよう意図されない。
【００２１】
その上、目標時間情報は、絶対時間情報又はオフセット時間情報を運んでよい。例えば、ピアアクセスポイント１０１と第１通信回路１０５との間のタイミング同期は、ビーコンフレームを通じてタイミング情報を周期的に交換することによって達成され得る。同じＢＳＳにおいて、タイミング同期関数（ＴＳＦ；timing  synchronization  function）は、同期される全ての装置のためのタイマを保持するために使用され得る。目標時間情報は、同じＢＳＳのＴＳＦに対する相対オフセット値であってよく、あるいは、そのようなＴＳＦの絶対値であってよい。
【００２２】
よって、目標時間情報によって示される相対オフセット値又は絶対値を受け取る場合に、ピアアクセスポイント１０１は、第１通信回路１０５が通常モードから無線インアクティブモードへ切り替わる目標時間を知ることができる。すなわち、ピアアクセスポイント１０１は、いつ第１通信回路１０５が電力節約モードになるかを知ることができる。相対オフセット値又は絶対値を受け取った後、ピアアクセスポイント１０１は、トランシーバ１０１Ａを用いて、アクノリッジメントＡＣＫを第１通信回路１０５へ返送し、次いで、ＭＰＤＵフレーム又は集約されたＡ−ＭＰＤＵフレームを第１通信回路１０５へ送信するよう構成される。実施形態において、トランシーバ１０１Ａは、集約されたＡ−ＭＰＤＵフレームを第１通信回路１０５へ送信するよう構成される。このとき、集約されたＡ−ＭＰＤＵフレームは、図２に表されるようにＴＤＤ  ＷＬＡＮフェーズを超えない全体的なフレーム交換シーケンスを有している複数のＭＰＤＵフレームを集約することによって生成される。例えば、ピアアクセスポイント１０１のトランシーバ１０１Ａは、６４個のＭＰＤＵフレームを集約されたＡ−ＭＰＤＵフレームとして集約するよう構成され得る。通信回路１０５から送信された目標時間情報を参照することによって、ピアアクセスポイント１０１は、通信回路１０５のＴＤＤ  ＷＬＡＮフェーズの終了時間を知り、そして、通信回路１０５のＴＤＤ  ＷＬＡＮフェーズの終了前にＡ−ＭＰＤＵフレーム交換シーケンスを成功裏に完了するよう最適なＡ−ＭＰＤＵフレームサイズを決定してよい。
【００２３】
このように、制御／データ／管理フレーム内で具現された目標時間情報をピアアクセスポイント１０１へ送ることによって、これは、ピアアクセスポイント１０１に、そのような目標時間情報を受け取った後に、Ａ−ＭＰＤＵのサイズ、すなわち、集約されるＭＰＤＵパケットの数を適切に決定させることができる。それにより、Ａ−ＭＰＤＵフレームは、ＷＬＡＮ通信のフレーム交換効率を有意に改善し且つＷＬＡＮ通信とＢＴ／ＬＴＥ通信との間の干渉を回避するよう、第１通信回路１０５が電力節約モードに入る前に、第１通信回路１０５によって成功裏に受信及びアクノリッジされ得る。
【００２４】
第１通信回路１０５は、アグリゲーションフレームＡ−ＭＰＤＵを受け取った後にアクノリッジメント信号ＢＡをピアアクセスポイント１０１へ返送するよう構成される。そのようなアクノリッジメント信号ＢＡは、第１通信回路１０５が電力節約モードに入り、そして、第２通信回路１１０がアクティブにされる前に、送信される。目標時間情報に基づき、ピアアクセスポイント１０１のトランシーバ１１０Ａは、第１通信回路１０５が電力節約モードに入る前にアクノリッジメント信号ＢＡが通常モードの間に後の又は最後のタイミングで成功裏に送信され得るように、Ａ−ＭＰＤＵフレームの送信フレームサイズを適切に処理／決定／調整することができる。
【００２５】
次いで、第１通信回路１０５が電力節約モードに入り、第２通信回路１１０がアクティブにされた後、第２通信回路１１０は、ＷＬＡＮ通信回路とＢＴ／ＬＴＥ通信回路との間の干渉なしでＢＴ／ＬＴＥ通信規格を介してＢＴ／ＬＴＥ装置１０２と通信するよう構成される。
【００２６】
従来のデータ伝送スキームと比較して、いつ第１通信回路１０５が非アクティブにされるか、すなわち、電力節約モードに入るかをピアアクセスポイント１０１に知らせるよう第１通信回路１０５からピアアクセスポイント１０１へ目標時間情報を送ることによって、これは、ピアアクセスポイント１０１に、適切なフレームサイズを有しているアグリゲーションフレームを第１通信回路１０５へ適切に送信させることができる。然るに、干渉は回避され得、ＷＬＡＮスループット性能は有意に改善され得る。すなわち、目標時間情報に基づき、ピアアクセスポイント１０１は、最適化されたフレーム交換シーケンスをスケジューリングし、且つ／あるいは、最適化されたフレームサイズをスケジューリングすることができる。
【００２７】
更に、通信装置１００は、いつ目標時間情報をピアアクセスポイント１０１へ送信するべきかを決定するよう構成され得る。例えば、実施形態において、制御回路１１５は、通信装置１００がＷＬＡＮ通信の通常モードに入る場合に直ちに目標時間情報をピアアクセスポイント１０１へ送信するように第１通信回路１０５を制御するよう構成される。他の実施形態において、通信装置１００は、通常モードの間に異なるタイミングで目標時間情報を送るよう構成されてよい。
【００２８】
更に、他の実施形態では、目標時間情報は、アクションをトリガするために使用される管理フレームの一種であるアクションフレーム内に通信装置によって具現されてよい。この変更も、本発明の適用範囲内にある。
【００２９】
その上、読者が本発明の精神をより明りょうに理解するために、図３は、図１の通信装置１００の動作のフローチャートを示す。実質的に同じ結果が達成されるという条件で、図３に示されるフローチャートのステップは、示されている正確な順序である必要はなく、且つ、連続的である必要はない。すなわち、他のステップが間にあってよい。ステップは、以下で詳述される。
【００３０】
ステップ３０５：開始。
【００３１】
ステップ３１０：制御回路１１５は、第１通信回路１０５を通常モードに入らせるようアクティブにし、第２通信回路１１０を非アクティブにするよう構成される。
【００３２】
ステップ３１５：第１通信回路１０５は、ＩＥＥＥ８０２．１１ＱｏＳヌル又はアクションフレーム内で具現される目標時間情報をピアアクセスポイント１０１のトランシーバ１０１Ａへ送る。
【００３３】
ステップ３２０：ピアアクセスポイント１０１のトランシーバ１０１Ａは、ＩＥＥＥ８０２．１１ＱｏＳヌル又はアクションフレームに対応するアクノリッジメントＡＣＫを第１通信回路１０５へ送る。
【００３４】
ステップ３２５：ピアアクセスポイント１０１のトランシーバ１０１Ａは、第１通信回路１０５の目標時間前に全体的なフレーム交換シーケンスが終わるような、集約されたＡ−ＭＰＤＵフレームのフレームサイズを決定し、Ａ−ＭＰＤＵフレームを第１通信回路１０５へ送る。
【００３５】
ステップ３３０：第１通信回路１０５は、集約されたＡ−ＭＰＤＵフレームを受信した後に、集約されたＡ−ＭＰＤＵフレームに対応するアクノリッジメント信号ＢＡをピアアクセスポイント１０１のトランシーバ１０１Ａへ送る。
【００３６】
ステップ３３５：制御回路１１５は、第１通信回路１０５を無線インアクティブモードに入らせるよう非アクティブにし、第２通信回路１１０をアクティブにする。
【００３７】
ステップ３４０：終了。
【００３８】
当業者は、装置及び方法の多数の変更及び代替が、本発明の教示を保ちながら行われ得ることに容易に気付くだろう。然るに、上記の開示は、添付の特許請求の範囲の境界によってのみ制限されると解釈されるべきである。
【符号の説明】
【００３９】
１００    通信装置
１０１    ピア通信装置（アクセスポイント）
１０１Ａ  トランシーバ
１０２    ＢＴ／ＬＴＥ装置
１０５    第１通信回路
１１０    第２通信回路
１１５    制御回路
【図１】
2019106702.tif 000003
【図２】
2019106702.tif 000004
【図３】
2019106702.tif 000005
【外国語明細書】
2019106702000001.pdf